(57)【要約】【課題】  外出先から簡易な操作を行うことによって放送番組の記録を行えるようにする。【解決手段】  予め定められた所定のキーを押すなどユーザがワンアクションで操作を行うと、モバイル端末１０は、視聴中の放送番組の録画を要求する録画要求情報を生成する。そして、モバイル端末１０は、生成した録画要求情報を、携帯電話網１１０およびインターネット１００を介してサービス専用サーバ２０に送信する。サービス専用サーバ２０は、受信した録画要求情報を解析して、モバイル端末１０によって要求された放送番組の録画を指示する録画指示情報を生成する。そして、サービス専用サーバ２０は、生成した録画指示情報を、インターネット１００を介して録画装置３０に送信する。録画装置３０は、受信した録画指示情報に従って放送番組を録画する。【選択図】  図１
2005286762.tif 000002
【特許請求の範囲】
【請求項１】
記録要求情報を送信する操作端末と、
前記記録要求情報にもとづいて、放送番組記録指示情報を送信する記録指示手段と、
前記放送番組記録指示情報に従って放送番組を記録する放送記録手段とを備え、
前記操作端末は、
所定の記録要求がなされると前記記録要求情報を生成する要求生成手段と、
前記記録要求情報を前記記録指示手段に送信する要求送信手段とを含む
ことを特徴とする放送記録システム。
【請求項２】
前記操作端末は、さらに操作手段を含み、
前記操作手段により前記所定の記録要求がなされることを特徴とする
請求項１記載の放送記録システム。
【請求項３】
前記操作手段は、１ないし２以上のキーを有し、
前記操作手段が有するキーのうち予め定められた所定のキーの押下に応じて前記所定の記録要求がなされることを特徴とする
請求項２記載の放送記録システム。
【請求項４】
前記要求送信手段はネットワークを介して前記記録要求情報を送信し、
前記記録指示手段は前記ネットワークを介して前記放送番組記録指示情報を送信することを特徴とする
請求項１から請求項３のうちのいずれか１項に記載の放送記録システム。
【請求項５】
前記操作端末は、放送波を受信して放送番組を出力する番組出力手段を含み、
前記要求生成手段は、前記番組出力手段が受信している放送波の受信周波数を特定することができる情報を含む記録要求情報を生成し、
前記記録指示手段は、前記記録要求情報に含まれる受信周波数を特定することができる情報にもとづいて前記放送番組記録指示情報を送信する
請求項１から請求項４のうちのいずれか１項に記載の放送記録システム。
【請求項６】
前記操作端末は、当該操作端末の位置情報を求める位置算出手段を含み、
前記要求生成手段は、前記位置情報を含む記録要求情報を生成し、
前記記録指示手段は、前記記録要求情報に含まれる受信周波数を特定することができる情報および前記位置情報にもとづいて要求された放送番組を特定し、特定した放送番組の記録を指示する放送番組記録指示情報を送信する
請求項５記載の放送記録システム。
【請求項７】
前記要求生成手段は、放送番組の放送時間帯を含む記録要求情報を生成し、
前記記録指示手段は、前記記録要求情報に含まれる受信周波数を特定することができる情報および前記放送番組の放送時間帯にもとづいて要求された放送番組を特定し、特定した放送番組の記録を指示する放送番組記録指示情報を送信する
請求項５または請求項６記載の放送記録システム。
【請求項８】
複数の放送記録手段を備え、
前記操作端末は、当該操作端末の位置情報を求める位置算出手段を含み、
前記要求生成手段は、前記位置情報を含む記録要求情報を生成し、
前記記録指示手段は、前記記録要求情報に含まれる位置情報にもとづいて、任意の放送記録手段を選択し、選択した放送記録手段に放送番組の記録を指示する放送番組記録指示情報を送信する
請求項１から請求項７のうちのいずれか１項に記載の放送記録システム。
【請求項９】
前記任意の放送記録手段が前記操作端末に最も近い放送記録手段とする前記記録指示手段を特徴とする請求項８記載の放送記録システム。
【請求項１０】
前記操作端末は、
行動予定情報と放送予定情報とを登録する予定登録手段と、
前記行動予定情報が示す行動時間帯と前記放送予定情報が示す放送番組の放送時間帯とが重複している際に録画予約信号を送信する時間判断手段とを含み、
前記録画予約信号に応じて前記要求生成手段は記録要求情報を生成する
請求項１から請求項９のうちのいずれか１項に記載の放送記録システム。
【請求項１１】
前記放送記録手段に放送番組の記録を指示した旨を示す記録指示済み情報を送信する記録指示済み情報送信手段を備え、
前記操作端末は、前記記録指示済み情報送信手段から前記記録指示済み情報を受信すると、所定の画像を表示する
請求項１から請求項１０のうちのいずれか１項に記載の放送記録システム。
【請求項１２】
インデックスの付与を指示するインデックス付与指示手段を備え、
前記操作端末は、所定のインデックス付与要求に応じて記録中の放送番組にインデックスの付与を要求するインデックス付与要求情報を送信し、
前記インデックス付与指示手段は、受信した前記インデックス付与要求情報に基づき記録中の放送番組へのインデックス付与を前記放送記録手段に指示し、
前記放送記録手段は、前記インデックス付与指示手段からの指示に従って、記録中の放送番組にインデックスを付与する
請求項１から請求項１１のうちのいずれか１項に記載の放送記録システム。
【請求項１３】
操作端末と、
前記操作端末からの要求を仲介するサーバと、
放送番組を記録する放送記録装置とを備え、
前記操作端末は、
所定の記録要求操作に応じて記録要求情報を生成する要求生成手段と、
前記記録要求情報を前記サーバに送信する要求送信手段とを含み、
前記サーバは、
受信した前記記録要求情報に基づき放送番組記録指示情報を生成する記録指示手段と、
前記放送番組記録指示情報を前記放送記録装置に送信する要求指示送信手段とを含み、
前記放送記録装置は、
前記放送番組記録指示情報に従って放送番組を記録する放送記録手段を含む
ことを特徴とする放送記録システム。
【請求項１４】
前記操作端末は、
操作手段を含み、
前記操作手段により前記所定の記録要求がなされることを特徴とする
請求項１３記載の放送記録システム。
【請求項１５】
前記操作手段は、１ないし２以上のキーを有し、
前記操作手段が有するキーのうち予め定められた所定のキーの押下に応じて前記所定の記録要求がなされることを特徴とする
請求項１４記載の放送記録システム。
【請求項１６】
前記要求送信手段はネットワークを介して前記記録要求情報を送信し、
前記要求指示送信手段は前記ネットワークを介して前記放送番組記録指示情報を送信することを特徴とする
請求項１３から請求項１５のうちのいずれか１項に記載の放送記録システム。
【請求項１７】
前記操作端末は、放送波を受信して放送番組を出力する番組出力手段を含み、
前記要求生成手段は、前記番組出力手段が受信している放送波の受信周波数を特定することができる情報を含む記録要求情報を生成し、
前記記録指示手段は、前記記録要求情報に含まれる受信周波数を特定することができる情報にもとづいて前記放送番組記録指示情報を送信する
請求項１３から請求項１６のうちのいずれか１項に記載の放送記録システム。
【請求項１８】
前記操作端末は、当該操作端末の位置情報を求める位置算出手段を含み、
前記要求生成手段は、前記位置情報を含む記録要求情報を生成し、
前記記録指示手段は、前記記録要求情報に含まれる受信周波数を特定することができる情報および前記位置情報にもとづいて要求された放送番組を特定し、特定した放送番組の記録を指示する放送番組記録指示情報を生成する
請求項１７記載の放送記録システム。
【請求項１９】
前記要求生成手段は、放送番組の放送時間帯を含む記録要求情報を生成し、
前記記録指示手段は、前記記録要求情報に含まれる受信周波数を特定することができる情報および前記放送番組の放送時間帯にもとづいて要求された放送番組を特定し、特定した放送番組の記録を指示する放送番組記録指示情報を生成する
請求項１７または請求項１８記載の放送記録システム。
【請求項２０】
複数の放送記録手段を備え、
前記操作端末は、当該操作端末の位置情報を求める位置算出手段を含み、
前記要求生成手段は、前記位置情報を含む記録要求情報を生成し、
前記記録指示手段は、前記記録要求情報に含まれる位置情報にもとづいて、任意の放送記録手段を選択し、選択した放送記録手段に放送番組の記録を指示する放送番組記録指示情報を生成する
請求項１３から請求項１９のうちのいずれか１項に記載の放送記録システム。
【請求項２１】
前記任意の放送記録手段が前記操作端末に最も近い放送記録手段とする前記記録指示手段を特徴とする請求項２０記載の放送記録システム。
【請求項２２】
前記操作端末は、
行動予定情報と放送予定情報とを登録する予定登録手段と、
前記行動予定情報が示す行動時間帯と前記放送予定情報が示す放送番組の放送時間帯とが重複している際に録画予約信号を送信する時間判断手段とを含み、
前記録画予約信号に応じて前記要求生成手段は記録要求情報を生成する
請求項１３から請求項２１のうちのいずれか１項に記載の放送記録システム。
【請求項２３】
前記放送記録手段に放送番組の記録を指示した旨を示す記録指示済み情報を送信する記録指示済み情報送信手段を備え、
前記操作端末は、前記記録指示済み情報送信手段から前記記録指示済み情報を受信すると、所定の画像を表示する
請求項１３から請求項２２のうちのいずれか１項に記載の放送記録システム。
【請求項２４】
インデックスの付与を指示するインデックス付与指示手段を備え、
前記操作端末は、所定のインデックス付与要求に応じて記録中の放送番組にインデックスの付与を要求するインデックス付与要求情報を送信し、
前記インデックス付与指示手段は、受信した前記インデックス付与要求情報に基づき記録中の放送番組へのインデックス付与を前記放送記録手段に指示し、
前記放送記録手段は、前記インデックス付与指示手段からの指示に従って、記録中の放送番組にインデックスを付与する
請求項１３から請求項２３のうちのいずれか１項に記載の放送記録システム。
【請求項２５】
操作端末と、
放送番組を記録する放送記録装置とを備え、
前記操作端末は、
所定の記録要求操作に応じて記録要求情報を生成する要求生成手段と、
前記記録要求情報を前記放送記録装置に送信する要求送信手段とを含み、
前記放送記録装置は、
前記記録要求情報に基づき特定した放送番組の記録を指示する記録指示手段と、
前記特定した放送番組を記録する放送記録手段とを含む
ことを特徴とする放送記録システム。
【請求項２６】
前記操作端末は、
操作手段を含み、
前記操作手段により前記所定の記録要求がなされることを特徴とする
請求項２５記載の放送記録システム。
【請求項２７】
前記操作手段は、１ないし２以上のキーを有し、
前記操作手段が有するキーのうち予め定められた所定のキーの押下に応じて前記所定の記録要求がなされることを特徴とする
請求項２６記載の放送記録システム。
【請求項２８】
前記要求送信手段はネットワークを介して前記記録要求情報を送信することを特徴とする請求項２５から請求項２７のうちのいずれか１項に記載の放送記録システム。
【請求項２９】
前記操作端末は、放送波を受信して放送番組を出力する番組出力手段を含み、
前記要求生成手段は、前記番組出力手段が受信している放送波の受信周波数を特定することができる情報を含む記録要求情報を生成し、
前記記録指示手段は、前記記録要求情報に含まれる受信周波数を特定することができる情報に基づき特定した放送番組の記録を指示する
請求項２５から請求項２８のうちのいずれか１項に記載の放送記録システム。
【請求項３０】
前記操作端末は、当該操作端末の位置情報を求める位置算出手段を含み、
前記要求生成手段は、前記位置情報を含む記録要求情報を生成し、
前記記録指示手段は、前記記録要求情報に含まれる受信周波数を特定することができる情報および前記位置情報に基づき特定した放送番組の記録を指示する
請求項２９記載の放送記録システム。
【請求項３１】
前記要求生成手段は、放送番組の放送時間帯を含む記録要求情報を生成し、
前記記録指示手段は、前記記録要求情報に含まれる受信周波数を特定することができる情報および前記放送番組の放送時間帯に基づき特定した放送番組の記録を指示する
請求項２９または請求項３０記載の放送記録システム。
【請求項３２】
複数の放送記録手段を備え、
前記操作端末は、当該操作端末の位置情報を求める位置算出手段を含み、
前記要求生成手段は、前記位置情報を含む記録要求情報を生成し、
前記記録指示手段は、前記記録要求情報に含まれる位置情報にもとづいて、任意の放送記録手段を選択し、選択した放送記録手段に放送番組の記録を指示する
請求項２５から請求項３１のうちのいずれか１項に記載の放送記録システム。
【請求項３３】
前記任意の放送記録手段が前記操作端末に最も近い放送記録手段とする前記記録指示手段を特徴とする請求項３２記載の放送記録システム。
【請求項３４】
前記操作端末は、
行動予定情報と放送予定情報とを登録する予定登録手段と、
前記行動予定情報が示す行動時間帯と前記放送予定情報が示す放送番組の放送時間帯とが重複している際に録画予約信号を送信する時間判断手段とを含み、
前記録画予約信号に応じて前記要求生成手段は記録要求情報を生成する
請求項２５から請求項３３のうちのいずれか１項に記載の放送記録システム。
【請求項３５】
前記放送記録手段に放送番組の記録を指示した旨を示す記録指示済み情報を送信する記録指示済み情報送信手段を備え、
前記操作端末は、前記記録指示済み情報送信手段から前記記録指示済み情報を受信すると、所定の画像を表示する
請求項２５から請求項３４のうちのいずれか１項に記載の放送記録システム。
【請求項３６】
インデックスの付与を指示するインデックス付与指示手段を備え、
前記操作端末は、所定のインデックス付与要求に応じて記録中の放送番組にインデックスの付与を要求するインデックス付与要求情報を送信し、
前記インデックス付与指示手段は、受信した前記インデックス付与要求情報に基づき記録中の放送番組へのインデックス付与を前記放送記録手段に指示し、
前記放送記録手段は、前記インデックス付与指示手段からの指示に従って、記録中の放送番組にインデックスを付与する
請求項２５から請求項３５のうちのいずれか１項に記載の放送記録システム。
【請求項３７】
所定の記録要求操作に応じて記録要求情報を生成する要求生成手段と、
前記記録要求情報を送信する要求送信手段とを備えた
ことを特徴とする操作端末。
【請求項３８】
記録要求情報を受信する要求受信手段と、
前記記録要求情報に基づき放送番組記録指示情報を生成する記録指示手段と、
前記放送番組記録指示情報を送信する要求指示送信手段とを備えた
ことを特徴とするサーバ。
【請求項３９】
記録要求情報を受信する要求受信手段と、
前記記録要求情報に基づき要求された放送番組の記録を指示する記録指示手段と、
前記記録指示手段からの指示に従って放送番組を記録する放送記録手段とを備えた
ことを特徴とする放送記録装置。
【請求項４０】
操作端末からの要求に従って放送番組を記録する放送記録方法であって、
前記操作端末が、所定の記録要求操作を行われたときに記録要求情報を生成するステップと、
生成した前記記録要求情報を前記操作端末が送信するステップと、
前記記録要求情報に基づき前記操作端末によって要求された放送番組の記録を記録指示手段が指示するステップと、
放送記録手段が、前記記録指示手段の指示に従って放送番組を記録するステップとを含む
ことを特徴とする放送記録方法。
【請求項４１】
操作端末に搭載される記録要求プログラムであって、
コンピュータに、
所定の記録要求操作を行われたときに記録要求情報を生成する処理と、
生成した前記記録要求情報を送信する処理と
を実行させるための記録要求プログラム。
【請求項４２】
コンピュータに、
時間半断手段からの録画予約信号に応じて記録要求情報を生成する処理を実行させる
請求項４１記載の記録要求プログラム。
【請求項４３】
操作端末からの要求を仲介するサーバに搭載される記録指示プログラムであって、
コンピュータに、
記録要求情報を受信する処理と、
前記記録要求情報に基づき放送番組記録指示情報を生成する処理と、
前記放送番組記録指示情報を放送記録装置に送信する処理と
を実行させるための記録指示プログラム。
【発明の詳細な説明】
【技術分野】
【０００１】
本発明は、携帯端末からの要求に従って放送番組を記録する放送記録システムおよび放送記録方法に関する。また、本発明は、放送記録システムが備える操作端末、サーバおよび放送記録装置に関する。さらに、本発明は、放送番組の記録を要求するための記録要求プログラム、および放送番組の記録を指示するための記録指示プログラムに関する。
【背景技術】
【０００２】
外出先から自宅の録画装置に録画予約をするために、携帯端末を用いた録画予約が行われている。例えば、録画予約内容を含む電子メールを自宅の録画装置に送信することによって、外出先からでも録画予約をすることが行われている。また、録画予約専用のＷｅｂサイトにアクセスし、Ｗｅｂサイトを介して自宅の録画装置に録画予約をすることが行われている。
【０００３】
Ｗｅｂサイトを介して録画予約をする場合、ユーザは、携帯端末を操作して、録画予約専用のＷｅｂサイトにアクセスし、個人認証情報を入力する。Ｗｅｂサーバは、ユーザを認証すると、ユーザの携帯端末から受信した録画番組情報を登録する。自宅の録画装置は、予め定めた所定の時間間隔でＷｅｂサーバにアクセスし、Ｗｅｂサーバに録画番組情報が登録されている場合には、登録内容に従って録画予約を行う。また、Ｗｅｂサイトを介して録画予約する場合、Ｗｅｂサーバと自宅の録画装置とが常時セッションを維持し、録画装置がリアルタイムに録画番組情報を受信して録画予約を行うものもある。
【０００４】
また、特許文献１には、携帯情報端末から自宅のテレビジョン受信機に録画予約を行えるテレビシステムが記載されている。特許文献１に記載されたテレビシステムでは、ユーザは、テレビジョン受信機操作用の操作キーを備えた専用の携帯情報端末を用いて、放送番組の録画予約内容を入力する。そして、携帯情報端末は、入力された録画予約情報を、公衆回線を介して自宅のテレビジョン受信機に送信する。
【０００５】
また、特許文献２には、ＣＡＴＶを用いた放送番組の録画を外出先から行えるデータ伝送システムが記載されている。特許文献２に記載されたデータ伝送システムでは、ＣＡＴＶのセンタ装置は、インターネットを介して録画要求の電子メールを受信すると、受信した電子メールを自宅のケーブルモデムに転送する。すると、ケーブルモデムは、電子メールの内容を解析して自宅の録画装置に録画処理を実行させる。
【０００６】
【特許文献１】特開２００１−２５１５３２号公報（段落００２９−００４８、図４−５）
【特許文献２】特開２００２−５７６８６号公報（段落００２９−００４２、図１）
【発明の開示】
【発明が解決しようとする課題】
【０００７】
電子メールを送信したり専用のＷｅｂサイトにアクセスすることによって外出先から録画要求を行う場合、ユーザは、携帯端末を操作して、録画チャンネルや放送時間を入力したり、録画モードなど設定情報を入力しなければならない。そのため、ユーザは、煩雑な入力操作を行わなければならず操作負担が大きい。
【０００８】
また、専用のＷｅｂサイトにアクセスして録画要求を行う場合、番組の録画予約をＷｅｂサーバ側に登録するので、ユーザは、自分の携帯端末を用いて予約内容を管理することができない。また、ユーザは、自宅の録画装置をインターネットに接続するために複雑なネットワーク設定を行わなければならず、ユーザの作業負担が大きい。また、ユーザは、専用のＷｅｂサイトを運営する事業者と録画サービスの契約をしなければならない。さらに、ユーザは、録画装置をインターネットに接続するために専用のアダプタなどを購入しなければならない場合もある。
【０００９】
そこで、本発明は、外出先から簡易な操作を行うことによって放送番組の記録を行える放送記録システム、操作端末、サーバ、放送記録装置、放送記録方法、記録要求プログラムおよび記録指示プログラムを提供することを目的とする。
【課題を解決するための手段】
【００１０】
本発明による放送記録システムは、記録要求情報を送信する操作端末と、記録要求情報にもとづいて、放送番組記録指示情報を送信する記録指示手段と、放送番組記録指示情報に従って放送番組を記録する放送記録手段とを備え、操作端末は、所定の記録要求がなされると記録要求情報を生成する要求生成手段と、記録要求情報を記録指示手段に送信する要求送信手段とを含むことを特徴とする。なお、本明細書において、「放送番組」とは、放送されるコンテンツを意味する。
【００１１】
また、操作端末は、さらに操作手段を含み、操作手段により所定の記録要求がなされることを特徴とするものであってもよい。
【００１２】
また、操作手段は、１ないし２以上のキーを有し、操作手段が有するキーのうち予め定められた所定のキーの押下に応じて所定の記録要求がなされることを特徴とするものであってもよい。
【００１３】
また、要求送信手段はネットワークを介して記録要求情報を送信し、記録指示手段はネットワークを介して放送番組記録指示情報を送信することを特徴とするものであってもよい。
【００１４】
また、操作端末は、放送波を受信して放送番組を出力する番組出力手段を含み、要求生成手段は、番組出力手段が受信している放送波の受信周波数を特定することができる情報を含む記録要求情報を生成し、記録指示手段は、記録要求情報に含まれる受信周波数を特定することができる情報にもとづいて放送番組記録指示情報を送信するものであってもよい。そのような構成によれば、ユーザによって要求された放送番組のチャンネルに自動的に切り替えさせて、放送記録手段に放送番組を記録させることができる。
【００１５】
また、操作端末は、操作端末の位置情報を求める位置算出手段を含み、要求生成手段は、位置情報を含む記録要求情報を生成し、記録指示手段は、記録要求情報に含まれる受信周波数を特定することができる情報および位置情報にもとづいて要求された放送番組を特定し、特定した放送番組の記録を指示する放送番組記録指示情報を送信するものであってもよい。そのような構成によれば、ユーザが自宅地域から離れた地域から録画要求した場合であっても、受信周波数を特定可能な情報を自宅地域のチャンネル情報に変換して放送番組を記録することができる。
【００１６】
また、要求生成手段は、放送番組の放送時間帯を含む記録要求情報を生成し、記録指示手段は、記録要求情報に含まれる受信周波数を特定することができる情報および放送番組の放送時間帯にもとづいて要求された放送番組を特定し、特定した放送番組の記録を指示する放送番組記録指示情報を送信するものであってもよい。
【００１７】
また、放送記録システムは、複数の放送記録手段を備え、操作端末は、操作端末の位置情報を求める位置算出手段を含み、要求生成手段は、位置情報を含む記録要求情報を生成し、記録指示手段は、記録要求情報に含まれる位置情報にもとづいて、任意の放送記録手段を選択し、選択した放送記録手段に放送番組の記録を指示する放送番組記録指示情報を送信するものであってもよい。そのような構成によれば、ユーザの行動範囲が広い場合に、操作端末の位置情報にもとづいて適切な放送記録手段を選択して放送番組を記録させることができる。
【００１８】
また、放送記録システムは、任意の放送記録手段が操作端末に最も近い放送記録手段とする記録指示手段を特徴とするものであってもよい。
【００１９】
また、操作端末は、行動予定情報と放送予定情報とを登録する予定登録手段（スケジューラに従って動作するＣＰＵ１１によって実現される）と、行動予定情報が示す行動時間帯と放送予定情報が示す放送番組の放送時間帯とが重複している際に録画予約信号を送信する時間判断手段とを含み、録画予約信号に応じて要求生成手段は記録要求情報を生成するものであってもよい。そのような構成によれば、見たい放送番組がユーザの行動予定と時間帯が重なっている場合に、ユーザが操作を行わなくても、自動的に自宅の放送記録手段に放送番組を記録させることができる。
【００２０】
また、放送記録システムは、放送記録手段に放送番組の記録を指示した旨を示す記録指示済み情報を送信する記録指示済み情報送信手段（サービス専用サーバ２０のＣＰＵ２１およびネットワークインタフェース部２３によって実現される）を備え、操作端末は、記録指示済み情報送信手段から記録指示済み情報を受信すると、所定の画像（文字や記号、アイコンなどの表示マーク）を表示するものであってもよい。そのような構成によれば、ユーザは、放送番組の視聴中に自宅の録画状況を把握することができる。
【００２１】
また、放送記録システムは、インデックスの付与を指示するインデックス付与指示手段（ＣＰＵ１１によって実現される）を備え、操作端末は、所定のインデックス付与要求に応じて記録中の放送番組にインデックスの付与を要求するインデックス付与要求情報を送信し、インデックス付与指示手段は、受信したインデックス付与要求情報に基づき記録中の放送番組へのインデックス付与を放送記録手段に指示し、放送記録手段は、インデックス付与指示手段からの指示に従って、記録中の放送番組にインデックスを付与するものであってもよい。そのような構成によれば、放送番組の視聴を途中で中断しなければならず自宅で続きから見たい場合や、気に入ったシーンがあった場合に、予め定めた所定のキーを押すなどユーザがワンアクションで操作を行えば、自動的に記録中の放送番組にインデックスが付与される。
【００２２】
また、放送記録システムは、操作端末と、操作端末からの要求を仲介するサーバと、放送番組を記録する放送記録装置とを備え、操作端末は、所定の記録要求操作に応じて記録要求情報を生成する要求生成手段と、記録要求情報をサーバに送信する要求送信手段とを含み、サーバは、受信した記録要求情報に基づき放送番組記録指示情報を生成する記録指示手段と、放送番組記録指示情報を放送記録装置に送信する要求指示送信手段とを含み、放送記録装置は、放送番組記録指示情報に従って放送番組を記録する放送記録手段を含むものであってもよい。
【００２３】
また、放送記録システムは、操作端末と、放送番組を記録する放送記録装置とを備え、操作端末は、所定の記録要求操作に応じて記録要求情報を生成する要求生成手段と、記録要求情報を放送記録装置に送信する要求送信手段とを含み、放送記録装置は、記録要求情報に基づき特定した放送番組の記録を指示する記録指示手段と、特定した放送番組を記録する放送記録手段とを含むものであってもよい。
【００２４】
本発明による操作端末は、所定の記録要求操作に応じて記録要求情報を生成する要求生成手段と、記録要求情報を送信する要求送信手段とを備えたことを特徴とする。
【００２５】
本発明によるサーバは、記録要求情報を受信する要求受信手段と、記録要求情報に基づき放送番組記録指示情報を生成する記録指示手段と、放送番組記録指示情報を送信する要求指示送信手段とを備えたことを特徴とする。
【００２６】
本発明による放送記録装置は、記録要求情報を受信する要求受信手段と、記録要求情報に基づき要求された放送番組の記録を指示する記録指示手段と、記録指示手段からの指示に従って放送番組を記録する放送記録手段とを備えたことを特徴とする。
【００２７】
本発明による放送記録方法は、操作端末からの要求に従って放送番組を記録する放送記録方法であって、操作端末が、所定の記録要求操作を行われたときに記録要求情報を生成するステップと、生成した記録要求情報を操作端末が送信するステップと、記録要求情報に基づき操作端末によって要求された放送番組の記録を記録指示手段が指示するステップと、放送記録手段が、記録指示手段の指示に従って放送番組を記録するステップとを含むことを特徴とする。
【００２８】
本発明による記録要求プログラムは、操作端末に搭載される記録要求プログラムであって、コンピュータに、所定の記録要求操作を行われたときに記録要求情報を生成する処理と、生成した記録要求情報を送信する処理とを実行させることを特徴とする。
【００２９】
また、記録要求プログラムは、コンピュータに、時間半断手段からの録画予約信号に応じて記録要求情報を生成する処理を実行させるものであってもよい。そのような構成によれば、見たい放送番組がユーザの行動予定と時間帯が重なっている場合に、ユーザが操作を行わなくても、自動的に自宅の放送記録手段に放送番組を記録させることができる。
【００３０】
本発明による記録指示プログラムは、操作端末からの要求を仲介するサーバに搭載される記録指示プログラムであって、コンピュータに、記録要求情報を受信する処理と、記録要求情報に基づき放送番組記録指示情報を生成する処理と、放送番組記録指示情報を放送記録装置に送信する処理とを実行させることを特徴とする。
【発明の効果】
【００３１】
本発明によれば、予め定められた所定のキーを押すなどユーザがワンアクションで操作を行えば、操作端末が自動的に記録要求情報を生成し要求解析手段に送信する。ワンアクションの操作で放送記録手段に指示できるので、外出先から簡易な操作を行うことによって放送番組の記録を行うことができる。
【発明を実施するための最良の形態】
【００３２】
実施の形態１．
以下、本発明の第１の実施の形態を図面を参照して説明する。図１は、本発明による放送記録システムの構成の一例を示すブロック図である。図１に示すように、放送記録システムは、ユーザが使用するモバイル端末１０と、録画要求を仲介するサービス専用サーバ２０と、ユーザ自宅に設置される録画装置３０とを含む。図１に示すように、モバイル端末１０は、携帯電話網１１０を介してインターネット１００に接続される。また、サービス専用サーバ２０および録画装置３０は、インターネット１００に接続される。
【００３３】
なお、図１では、１つのモバイル端末１０を示しているが、録画システムは、複数のモバイル端末１０を含んでいてもよい。また、図１では、１つの録画装置３０を示しているが、録画システムは、複数の録画装置３０を含んでいてもよい。
【００３４】
また、録画装置３０は映像を録画するとともに音声を記録することによって放送番組を記録するが、本実施の形態では、放送番組の映像および音声を記録することを単に放送番組を録画すると表現する。なお、「放送番組」とは、放送されるコンテンツを指す。
【００３５】
モバイル端末（操作端末）１０は、携帯電話機やＰＤＡ、ノート型パーソナルコンピュータなどの携帯情報処理端末である。モバイル端末１０は、テレビチューナが搭載され、放送波受信機能を備える。図２は、モバイル端末１０の構成の一例を示すブロック図である。図２に示すように、モバイル端末１０は、ＣＰＵ１１、送受信部１２、位置算出部１３、音声出力部１４、ＲＡＭ１５、ＲＯＭ１６、表示部１７および入力部１８を含む。
【００３６】
ＣＰＵ１１は、ＲＡＭ１５やＲＯＭ１６が記憶するプログラムに従って動作する。送受信部１２は、携帯端末アンテナ１２１を介して信号を送受信する。位置算出部１３は、ＧＰＳアンテナ１３１を介してＧＰＳ信号を受信し、受信したＧＰＳ信号にもとづいてモバイル端末１０の位置を算出する。音声出力部１４は、スピーカなどである。ＲＡＭ１５は、各種アプリケーションプログラムや各種保存データを記憶する。ＲＯＭ１６は、オペレーティングシステムやスケジューラなどを記憶する。表示部１７は、液晶表示装置などである。入力部１８は、キー操作部である。
【００３７】
なお、本実施の形態において、モバイル端末１０のＲＡＭ１５は、コンピュータに、所定の記録要求操作を行われたときに記録要求情報を生成する処理と、生成した記録要求情報を送信する処理とを実行させるための記録要求プログラムを記憶している。
【００３８】
サービス専用サーバ２０は、録画装置３０を製造するメーカ（以下、録画装置メーカという）が運営するサーバである。図３は、サービス専用サーバ２０の構成の一例を示すブロック図である。図３に示すように、サービス専用サーバ２０は、ＣＰＵ２１、記憶装置２２およびネットワークインタフェース部２３を含む。ＣＰＵ２１は、記憶装置２２が記憶するプログラムに従って動作する。記憶装置２２は、録画要求を仲介し録画装置３０に録画を指示する処理を実行させるための各種プログラムを記憶する。ネットワークインタフェース部２３は、インターネット１００を介してデータを送受信する。
【００３９】
なお、本実施の形態において、サービス専用サーバ２０の記憶装置２２は、コンピュータに、記録要求情報を受信する処理と、記録要求情報に基づき放送番組記録指示情報を生成する処理と、放送番組記録指示情報を放送記録装置に送信する処理とを実行させるための記録指示プログラムを記憶している。
【００４０】
録画装置（放送記録装置）３０は、ビデオテープレコーダやデジタルレコーダである。また、録画装置３０は、テレビチューナを搭載したパーソナルコンピュータなどの情報処理装置であってもよい。図４は、録画装置３０の構成の一例を示すブロック図である。図４に示すように、録画装置３０は、受信部３１、ＣＰＵ３２、記憶装置３３、ネットワークインタフェース部３４、出力部３５および記憶部３６を含む。本実施の形態では、録画装置３０は、サービス専用サーバ２０を運営する録画装置メーカによって供給される。なお、録画装置３０は、サービス専用サーバ２０を運営する録画装置メーカと企業間提携を行っているメーカ（以下、提携先メーカという）によって供給されるものであってもよい。この場合、提携先メーカによって供給される録画装置３０は、録画装置メーカによって供給される録画装置３０と同様の機能を有し同様の動作を行う。
【００４１】
受信部３１は、自宅に設置される放送波受信アンテナ（図示せず）を介して、放送波を受信する。ＣＰＵ３２は、記憶装置３３が記憶するプログラムに従って動作する。記憶装置３３は、放送番組の録画処理を実行させるための各種プログラムを記憶する。ネットワークインタフェース部３４は、インターネット１００を介してサービス専用サーバ２０とデータを送受信する。出力部３５は、映像／音声出力装置を接続するためのインタフェース部（例えば、接続端子）である。出力部３５は、ＣＰＵ３２の指示に従って、接続された映像／音声出力装置に映像や音声を出力する。記録部３６は、ＣＰＵ３２の指示に従って放送番組を録画する。例えば、記録部３６は、ハードディスク装置によって実現される。また、例えば、記録部３６は、ビデオテープなど記録媒体が装着された記録装置によって実現される。
【００４２】
図５は、モバイル端末１０およびサービス専用サーバ２０の機能構成の一例を示す機能ブロック図である。図５に示すように、モバイル端末１０は、録画要求生成部１０１、録画要求送信部１０２、位置算出部１３および入力部１８を含む。図５に示す位置算出部１３および入力部１８は、図２に示す位置算出部１３および入力部１８と同様である。
【００４３】
録画要求生成部１０１は、具体的には、モバイル端末１０のＣＰＵ１１によって実現される。録画要求生成部１０１は、入力部１８から放送番組の録画要求が指示入力されると、指示入力された放送番組の録画を要求する録画要求情報（記録要求情報）を生成する。
【００４４】
本実施の形態では、録画要求生成部１０１は、録画要求情報として、予め定めた所定フォーマットのテキストを含む電子メールを生成する。本実施の形態では、モバイル端末１０を用いて放送番組を視聴中にユーザが入力部１８から録画要求を指示入力すると、録画要求生成部１０１は、視聴中の放送番組の放送波受信周波数を所定フォーマット形式で記載した録画要求情報を生成する。例えば、録画要求生成部１０１は、視聴中の放送番組のチャンネル情報を含む録画要求情報を生成する。なお、録画要求生成部１０１は、所定のフォーマット形式で記載した録画要求情報を暗号化して生成する。
【００４５】
また、録画要求生成部１０１は、モバイル端末１０の現時刻の位置情報（以下、端末位置情報という）を含む録画要求情報を生成してもよい。例えば、録画要求生成部１０１は、チャンネル情報とともに、位置算出部１３が出力する位置情報を含む録画要求情報を生成してもよい。また、録画要求生成部１０１は、時間情報を含む録画要求情報を生成してもよい。例えば、録画要求生成部１０１は、チャンネル情報や端末位置情報とともに、モバイル端末１０が搭載するタイマ（図示せず）が出力する時刻情報を含む録画要求情報を生成してもよい。
【００４６】
録画要求送信部１０２は、具体的には、モバイル端末１０のＣＰＵ１１および送受信部１２によって実現される。録画要求送信部１０２は、録画要求生成部１０１が生成した録画要求情報を、携帯電話網１１０およびインターネット１００を介してサービス専用サーバ２０に送信する。本実施の形態では、録画要求送信部１０２は、録画要求生成部１０１が電子メールとして生成した録画要求情報を、サービス専用サーバ２０を送信先として送信する。
【００４７】
図５に示すように、サービス専用サーバ２０は、録画要求受信部２０１、録画要求解析部２０２および録画指示送信部２０３を含む。
【００４８】
録画要求受信部２０１は、具体的には、サービス専用サーバ２０のＣＰＵ２１およびネットワークインタフェース部２３によって実現される。録画要求受信部２０１は、モバイル端末１０から、携帯電話網１１０およびインターネット１００を介して録画要求情報を受信する。
【００４９】
録画要求解析部２０２は、具体的には、サービス専用サーバ２０のＣＰＵ２１によって実現される。録画要求解析部２０２は、録画要求受信部２０１が受信した録画要求情報の内容を解析し、録画装置３０に録画を指示するための録画指示情報（放送番組記録指示情報）を生成する。本実施の形態では、録画要求解析部２０２は、電子メールとして受信した録画要求情報に含まれるテキストの内容を解析してチャンネル情報を抽出し、抽出したチャンネルで放送されている放送番組の録画を指示する録画指示情報を生成する。
【００５０】
また、本実施の形態では、サービス専用サーバ２０は、録画モードを「標準録画モード」にするか「三倍速録画モード」にするかなどの各種設定情報のデフォルト値を予め記憶している。録画要求解析部２０２は、抽出したチャンネル情報とともに、各種設定情報のデフォルト値を含む録画指示情報を生成する。なお、モバイル端末１０が各種設定情報のデフォルト値を予め記憶してもよい。この場合、モバイル端末１０は、チャンネル情報とともに各種設定情報のデフォルト値を含む録画要求情報を、サービス専用サーバ２０に送信するようにしてもよい。
【００５１】
録画指示送信部２０３は、具体的には、サービス専用サーバ２０のＣＰＵ２１およびネットワークインタフェース部２３によって実現される。録画指示送信部２０３は、録画要求解析部２０２が生成した録画指示情報を、インターネット１００を介して録画装置３０に送信する。
【００５２】
本実施の形態において、記録指示手段は、録画要求解析部２０２によって実現される。放送記録手段は、録画装置３０のＣＰＵ３２および記録部３６によって実現される。操作手段は、モバイル端末１０の入力部１８によって実現される。要求生成手段は、録画要求生成部１０１によって実現される。要求送信手段は、録画要求送信部１０２によって実現される。番組出力手段は、モバイル端末１０が搭載するテレビチューナおよびＣＰＵ１１によって実現される。位置算出手段は、モバイル端末１０の位置算出部１３によって実現される。
【００５３】
次に、動作について説明する。本実施の形態において、録画装置メーカは、ユーザに録画装置３０を販売するとともに、ユーザが外出先から放送番組の録画要求をした場合に、録画要求を仲介してユーザ自宅の録画装置３０に録画させる録画サービスを提供する。また、本実施の形態において、録画装置メーカのサービス専用サーバ２０とユーザ自宅に設置される録画装置３０との間には常時セッションが確立されており、サービス専用サーバ２０と録画装置３０とは常時通信ができる。
【００５４】
図６は、モバイル端末１０からの録画要求を仲介して、録画装置３０に放送番組を録画させる処理の一例を示す流れ図である。ユーザは、外出先などで放送番組を見たい場合には、モバイル端末１０を用いて放送番組を視聴する。モバイル端末１０は、ユーザの操作に従って、放送波を受信し、放送番組の映像を表示部１７に表示し音声を音声出力部１４に出力する。
【００５５】
モバイル端末１０の録画要求生成部１０１は、ユーザによって予め定められた所定のキーが押されると、入力部１８から放送番組の録画の指示を入力する（ステップＳ１０１）。すると、録画要求生成部１０１は、現在視聴中の放送番組の録画を要求する録画要求情報を生成する（ステップＳ１０２）。本実施の形態では、予め定められた所定のキーを押すなどユーザがワンアクションで操作を行えば、録画要求生成部１０１が自動的に録画要求情報を生成する。録画要求送信部１０２は、録画要求生成部１０１が生成した録画要求情報を、携帯電話網１１０およびインターネット１００を介してサービス専用サーバ２０に送信する（ステップＳ１０３）。なお、ステップＳ１０３において、録画要求送信部１０２は、録画要求情報を暗号化してサービス専用サーバ２０に送信する。
【００５６】
録画要求受信部２０１は、モバイル端末１０から、携帯電話網１１０およびインターネット１００を介して録画要求情報を受信する。すると、録画要求解析部２０２は、受信した録画要求情報を解析し、録画指示情報を生成する（ステップＳ１０４）。
【００５７】
なお、録画要求情報に端末位置情報が含まれる場合には、録画要求解析部２０２は、端末位置情報にもとづいて所定の変換を行った録画指示情報を生成してもよい。例えば、出張中にユーザが自宅地域から離れた地域から録画要求をした場合、録画要求解析部２０２は、端末位置情報にもとづいて、録画要求情報に含まれるチャンネル情報を自宅地域の放送波のチャンネル情報に変換して録画指示情報を生成してもよい。
【００５８】
例えば、サービス専用サーバ２０は、各地域におけるチャンネルの対応関係を示すテーブル（以下、チャンネル対応テーブルという）を記憶装置２２に記録しておく。録画要求解析部２０２は、端末位置情報にもとづいてモバイル端末１０がいる地域を特定する。そして、録画要求解析部２０２は、特定した地域とチャンネル対応テーブルとにもとづいて、録画要求情報に含まれるチャンネル情報を自宅地域の放送波のチャンネル情報に変換する。録画要求情報に含まれるチャンネル情報に相当するチャンネルが自宅地域にない場合には、サービス専用サーバ２０は、録画できない旨の通知をモバイル端末１０に送信するようにしてもよい。
【００５９】
また、録画要求情報に時刻情報が含まれる場合には、録画要求解析部２０２は、録画要求情報に含まれる時刻情報を録画開始時刻として含む録画指示情報を生成してもよい。
【００６０】
サービス専用サーバ２０は、録画装置３０の電源をオンにするためのウェイクアップパケットを、インターネット１００を介して録画装置３０に送信する（ステップＳ１０５）。ウェイクアップパケットを受信すると、録画装置３０は、電源オフの場合、自動的に電源をオンにする（ステップＳ１０６）。なお、録画装置３０がウェイクアップパケット対応型の装置でない場合には、ステップＳ１０５およびステップＳ１０６の処理は実行しなくてもよい。録画指示送信部２０３は、録画要求解析部２０２が生成した録画指示情報を、インターネット１００を介して録画装置３０に送信する（ステップＳ１０７）。なお、ステップＳ１０７において、録画指示送信部２０３は、録画指示情報を暗号化して録画装置３０に送信する。
【００６１】
録画装置３０は、受信した録画指示情報に対する応答信号を、インターネット１００を介してサービス専用サーバ２０に送信する（ステップＳ１０８）。例えば、別の放送番組の録画中であるなどの理由によって指示された放送番組を録画できない場合、録画装置３０は、録画できない旨の応答信号をサービス専用サーバ２０に送信する。また、録画装置３０は、録画可能である場合、録画できる旨の応答信号をサービス専用サーバ２０に送信する。
【００６２】
録画できない旨の応答信号を受信した場合、サービス専用サーバ２０は、録画できない旨の通知を、インターネット１００および携帯電話網１１０を介してモバイル端末１０に送信する（ステップＳ１０９）。例えば、サービス専用サーバ２０は、録画できない旨の内容のテキストを含む電子メールやショートメール（ＳＭＳ）を生成し、モバイル端末１０に送信する。ユーザは、受信した電子メールやショートメールの内容を確認することによって、録画要求した放送番組の録画に成功したか否かを知ることができる。
【００６３】
録画装置３０は、サービス専用サーバ２０から受信した録画指示情報に従って、指示された放送番組の録画を開始する（ステップＳ１１０）。ステップＳ１１０において、録画装置３０は、録画指示情報に含まれるチャンネル情報にもとづいてチャンネルを切り替える。そして、録画装置３０は、録画指示された放送番組の録画を開始する。
【００６４】
以上のように、本実施の形態によれば、予め定められた所定のキーを押すなどユーザがワンアクションで操作を行えば、モバイル端末１０が自動的に視聴中の放送番組のチャンネル情報などを含む録画要求情報を生成しサービス専用サーバ２０に送信する。そして、受信した録画要求情報をサービス専用サーバ２０が解析し録画装置３０に録画を指示する。ワンアクションの操作で自宅の録画装置３０に録画を指示できるので、外出先から簡易な操作を行うことによって放送番組の録画を行うことができる。また、本実施の形態によれば、録画装置メーカが録画装置３０の販売と録画サービスの提供とを一括して行うので、ユーザの契約手続の負担や作業負担を軽減することができる。なお、提携先メーカによって供給される録画装置３０に対してもサービス専用サーバ２０が同様の録画指示の動作を行うことによって、ユーザに録画サービスを提供することができる。よって、提携先メーカによって供給される録画装置３０を用いる場合であっても、ユーザの契約手続の負担や作業負担を軽減することができる。
【００６５】
なお、本実施の形態では、電子メールとして受信した録画要求情報をサービス専用サーバ２０が解析する場合を説明したが、サービス専用サーバ２０は録画要求情報をそのまま録画装置３０に転送し、録画装置３０が録画要求情報を解析するようにしてもよい。この場合、モバイル端末１０は、録画装置３０を送信先として録画要求情報を送信する。また、サービス専用サーバ２０は、メールサーバとしての機能を備え、モバイル端末１０から電子メールとして受信した録画要求情報の送信先情報にもとづいて、録画要求情報を録画装置３０に転送する。また、録画装置３０は、録画要求情報を解析する機能を備え、サービス専用サーバ２０から受信した録画要求情報を解析し、解析内容に従って録画を開始する。
【００６６】
また、モバイル端末１０が自動生成する録画要求情報は、電子メールに限られない。例えば、サービス専用サーバ２０に録画サービス提供用のＷｅｂサイトが開設され、モバイル端末１０は、サービス専用サーバ２０のＷｅｂサイトに自動的にアクセスして、録画要求情報をサービス専用サーバ２０に送信するようにしてもよい。この場合、サービス専用サーバ２０は、録画要求情報を解析して録画指示情報を生成し、生成した録画指示情報を録画装置３０に送信するようにしてもよい。
【００６７】
また、モバイル端末１０がサービス専用サーバ２０のＷｅｂサイトにアクセスして録画要求をする場合、サービス専用サーバ２０は、受信した録画要求情報にもとづいてチャンネル情報などを含む電子メールを生成し、生成した電子メールを録画装置３０に送信するようにしてもよい。そして、録画装置３０は、受信した電子メールの内容を解析して、解析内容に従って録画を開始するようにしてもよい。
【００６８】
また、サービス専用サーバ２０と録画装置３０とが別々の装置ではなく、サービス専用サーバ２０の機能と録画装置３０の機能とを備えた一体型の録画装置（以下、一体型録画装置という）がユーザ自宅に設置されてもよい。この場合、モバイル端末１０は、録画要求情報を、携帯電話網１１０およびインターネット１００を介して一体型録画装置に送信する。すると、一体型録画装置は、受信した録画要求情報を解析して、解析内容に従って録画を開始する。
【００６９】
また、モバイル端末１０を用いて放送番組を見ている途中でユーザによってチャンネル切り替えが行われた場合に、モバイル端末１０は、チャンネル情報を含むチャンネル切替要求を自動生成してサービス専用サーバ２０に送信するようにしてもよい。この場合、サービス専用サーバ２０は、受信したチャンネル切替要求にもとづいて、チャンネルの切替指示を録画装置３０に送信する。すると、録画装置３０は、受信した切替指示に従って、チャンネルを随時切り替える。
【００７０】
本実施の形態では、録画指示情報を受信すると、録画装置３０は、録画処理を実行する前にチャンネル切り替えを行う。そのため、録画を開始する際にチャンネル切り替えに伴う遅延が発生する。モバイル端末１０がチャンネル切替要求を送信するようにすれば、録画装置３０は、モバイル端末１０に追随して常にチャンネルを切り替えることができるので、録画を開始する際のチャンネル切り替え動作にかかる時間をなくすことができる。従って、ユーザがモバイル端末１０を操作して録画要求してから、実際に録画が開始されるまでの遅延を軽減することができる。
【００７１】
なお、モバイル端末１０は、録画装置３０が録画を開始した後にユーザによってチャンネル切り替えが行われた場合に、チャンネル切替要求をサービス専用サーバ２０に送信するようにしてもよい。そして、録画装置３０は、モバイル端末１０に追随して常にチャンネルを切り替えて放送番組を録画してもよい。
【００７２】
また、録画装置３０は、録画指示情報に含まれる録画開始時刻と、録画指示情報を受信した時刻との間に差がある場合には、録画開始時刻に遡って録画できるようにしてもよい。例えば、録画装置３０は、録画指示されていない場合であっても、常に放送波を受信しいずれかのチャンネルの放送番組を録画する仮録画を行っている。録画指示情報を受信すると、録画装置３０は、放送番組を仮録画した記憶領域のうち、録画指示情報に含まれる録画開始時刻以降の領域を上書き禁止領域に設定することによって、指示された録画開始時刻に遡って録画する。また、録画指示されなかった放送番組を記録した記憶領域については順次上書きすることによって、録画装置３０は、繰り返し仮録画を行う。時刻情報（タイムスタンプ）を含む録画要求情報を生成することによって、録画要求してから実際に録画が開始されるまでの遅延をなくすことができる。
【００７３】
また、本実施の形態では、視聴中の放送番組の録画を要求する場合を説明したが、放送番組情報などから録画したい放送番組を選択し録画を要求できるようにしてもよい。例えば、モバイル端末１０は、ユーザの選択指示に従って、ＥＰＧ（Electronic Program Guide）などを利用した放送番組表を取得および表示するアプリケーションプログラム（以下、電子番組表という）から放送番組を選択する。そして、予め定めた所定のキーを押すなどユーザによってワンアクションで操作が行われると、モバイル端末１０は、自動的に録画要求情報を生成してサービス専用サーバ２０に送信するようにしてもよい。この場合、モバイル端末１０は、電子番組表からチャンネル情報と放送時間帯とを抽出し、抽出したチャンネル情報および放送時間帯を含む録画要求情報を送信する。
【００７４】
実施の形態２．
次に、本発明の第２の実施の形態を図面を参照して説明する。本実施の形態において、モバイル端末１０、サービス専用サーバ２０および録画装置３０の機能は、第１の実施の形態におけるそれらの機能と同様である。
【００７５】
本実施の形態では、モバイル端末１０は、ユーザの操作に従って、予め見たい放送番組の予定情報をモバイル端末１０が搭載するスケジューラに登録する。例えば、モバイル端末１０は、ユーザの操作に従って、予め見たい放送番組の予定情報（以下、放送予定情報という）を電子番組表からスケジューラにインポートして登録する。録画を要求したい場合には、ユーザは、スケジューラ画面から放送予定情報を選択し、予め定めた所定のキーを押す。すると、録画要求生成部１０１は、スケジューラに登録されている放送予定情報から、チャンネル情報および放送時間（放送開始時刻や放送終了時刻）を抽出する。そして、モバイル端末１０は、抽出したチャンネル情報および放送時間を含む録画要求情報を生成し、サービス専用サーバ２０に送信する。
【００７６】
サービス専用サーバ２０は、録画要求情報に含まれるチャンネル情報および放送時間にもとづいて、モバイル端末１０によって録画要求された放送番組を特定する。そして、サービス専用サーバ２０は、特定した放送番組の録画を指示する録画指示情報を、インターネット１００を介して録画装置３０に送信する。
【００７７】
また、登録された放送予定情報の放送開始時刻になると、モバイル端末１０は、スケジューラの機能を用いて音などによりユーザに通知するようにしてもよい。そして、登録された放送予定情報の放送番組を視聴するか録画するかワンアクションで選択できるようにしてもよい。例えば、予め定められた所定のキーがユーザによって押されると、モバイル端末１０は、録画要求情報を生成しサービス専用サーバ２０に送信する。また、別の所定のキーがユーザによって押されると、モバイル端末１０は、放送波の受信を開始し、放送番組の映像を表示し音声を出力する。
【００７８】
また、モバイル端末１０は、ユーザの操作に従って、放送予定情報だけでなく、会議予定や出張予定などユーザの行動予定の情報（以下、行動予定情報という）も予めスケジューラに登録する。モバイル端末１０は、放送予定情報と行動予定情報とが同じ時間帯に重複していると判断すると、自動的に録画要求情報を生成しサービス専用サーバ２０に送信する。本実施の形態では、行動予定情報がスケジューラに登録された場合に、既に同じ時間帯に放送予定情報が登録されていると判断すると、モバイル端末１０は、自動的に録画要求情報を生成しサービス専用サーバ２０に送信する。また、電子番組表から新たに放送予定情報がインポートされた場合に、既に同じ時間帯に行動予定情報が登録されていると判断すると、モバイル端末１０は、自動的に録画要求情報を生成しサービス専用サーバ２０に送信する。
【００７９】
本実施の形態において、時間判断手段は、スケジューラに従って動作するＣＰＵ１１によって実現される。例えば、時間判断手段は、行動予定情報が示す行動時間と放送予定情報が示す放送番組の放送時間帯とが重複している際に、録画予約信号を録画要求生成部１０１に出力する。すると、録画要求生成部１０１は、録画予約信号に応じて録画要求情報を生成する。
【００８０】
図７は、スケジューラの表示画面の例を示す説明図である。図７に示すように、例えば、いずれかの日がユーザによって選択されると、モバイル端末１０は、選択した日に登録されている各登録情報７０１，７０２，７０３をスケジューラの表示画面に表示する。また、図７に示すように、モバイル端末１０は、放送予定情報７０１，７０３だけでなく、行動予定情報７０２もスケジューラの表示画面に表示する。
【００８１】
図７に示す表示画面から、ユーザによっていずれかの放送予定情報７０１，７０３が選択され予め定められた所定のキーが押されると、モバイル端末１０は、選択された放送番組の録画要求情報を自動生成してサービス専用サーバ２０に送信する。また、いずれかの放送予定情報７０１，７０３と時間帯が重複する行動予定情報が新たに登録された場合に、モバイル端末１０は、時間帯が重複する放送番組の録画要求情報を自動生成してサービス専用サーバ２０に送信する。また、行動予定情報７０２と時間帯が重複する放送予定情報が新たに登録された場合に、モバイル端末１０は、新たに登録された放送番組の録画要求情報を自動生成してサービス専用サーバ２０に送信する。
【００８２】
図８は、モバイル端末１０が搭載するプログラムの階層構造の概念を示す説明図である。図８の階層構造に示すように、モバイル端末１０には、オペレーティングシステム（ＯＳ）８２、スケジューラ８３、メーラ８４、および各種アプリケーションプログラム８６が搭載されている。図８に示す階層構造において、オペレーティングシステム８２は、モバイル端末１０のハードウェア８１と各プログラムとの間に位置し、ハードウェア８１と各プログラムとを総合的に管理する。
【００８３】
また、各アプリケーションプログラム８６は、Ｊａｖａ（登録商標）言語で記載されている。アプリケーションプログラム８６は、例えば、インターネット１００を介してダウンロードされ、モバイル端末１０のＲＡＭ１５に記憶される。図８に示す階層構造において、オペレーティングシステム８２とアプリケーションプログラム８６との間には、Ｊａｖａ言語で作成されたプログラムを解釈し実行するＪａｖａ仮想マシン（Ｊａｖａ  ＶＭ）８５が位置する。図８に示すような階層構造をもつことによって、ハードウェア８１やオペレーティングシステム８２に依存しないアプリケーションプログラム８６を、モバイル端末１０で使用することができる。
【００８４】
次に、動作について説明する。図９は、放送予定情報と行動予定情報とが同じ時間帯に重複しているか否かを判断し、録画要求情報を自動送信する処理パターンの一例を示す説明図である。なお、本実施の形態では、「スケジューラが判断する」などの表現を用いるが、実際には、モバイル端末１０のＣＰＵ１１がスケジューラに従って処理を実行する。このことは、他のソフトウェアについても同様である。
【００８５】
アプリケーションプログラム９１は、電子番組表である。なお、アプリケーションプログラム９１は、電子番組表ではなく、放送番組以外のイベント情報などを取得および表示するアプリケーションプログラムであってもよい。
【００８６】
スケジューラ９２は、ユーザの操作に従って、行動予定情報を登録する。また、スケジューラ９２は、ユーザの操作に従って、アプリケーションプログラム９１から放送予定情報をインポートして登録する。本実施の形態では、スケジューラ９２は、行動予定情報と放送予定情報とを統合して管理する。
【００８７】
なお、アプリケーションプログラム９１からインポートするのでなく、スケジューラ９２は、ユーザの手入力によって放送予定情報を登録してもよい。また、スケジューラ９２は、バーコードリーダなどの外部入力手段からの入力によって放送予定情報を登録してもよい。
【００８８】
スケジューラ９２は、放送予定情報がインポートされた場合に、登録されている行動予定情報とインポートされた放送予定情報とが同じ時間帯に重複しているか否かを判断する。同じ時間帯に重複していると判断した場合、スケジューラ９２は、ユーザへのアラーム通知を行う。例えば、スケジューラ９２は、アラーム音を音声出力部１４に出力させる。また、同じ時間帯に重複していると判断した場合、スケジューラ９２は、メーラ９３に録画要求情報をサービス専用サーバ２０に送信するように指示する。この場合、スケジューラ９２は、時間帯が重複する放送予定情報のチャンネル情報および放送時間の情報をメーラ９３に渡し、メーラ９３に録画要求情報の生成を促す。
【００８９】
なお、スケジューラ９２は、インポートされた放送予定情報が、既に登録されている放送予定情報と同じ時間帯に重複している場合にも、ユーザへのアラーム通知を行い、メーラ９３に録画要求情報の送信を指示してもよい。
【００９０】
メーラ９３は、チャンネル情報および放送時間を受け取ると、録画要求情報として、チャンネル情報や放送時間を所定のフォーマット形式で記載したテキストを含む電子メールを生成する。そして、メーラ９３は、生成した電子メールを、携帯電話網１１０およびインターネット１００を介してサービス専用サーバ２０に送信する。また、メーラ９３は、録画要求情報を自動送信できたか否かをユーザに通知する。例えば、モバイル端末１０が無線エリア外にいるために電子メールを送信できなかった場合には、メーラ９３は、電子メールを送信できなかった旨を表示部１７に表示させる。
【００９１】
図１０は、放送予定情報と行動予定情報とが同じ時間帯に重複しているか否かを判断し、録画要求情報を自動送信する他の処理パターンの例を示す説明図である。
【００９２】
図１０（ａ）に示す処理パターンにおいて、第１のアプリケーションプログラム９１ａは、電子番組表である。また、スケジューラ９２は、行動予定情報と放送予定情報とが同じ時間帯に重複していると判断すると、第２のアプリケーションプログラム９１ｂに録画要求情報の送信を指示する。なお、録画要求情報の送信指示以外のスケジューラ９２の動作は、図９に示す処理パターンにおけるスケジューラ９２の動作と同様である。
【００９３】
第２のアプリケーションプログラム９１ｂは、例えば、予めモバイル端末１０にインストールされた録画サービス用の専用アプリケーションプログラムである。例えば、第２のアプリケーションプログラム９１ｂは、スケジューラ９２からチャンネル情報および放送時間を受け取ると、録画要求情報として、所定のフォーマット形式のメールを生成しサービス専用サーバ２０に送信する。また、例えば、第２のアプリケーションプログラム９１ｂは、チャンネル情報および放送時間を受け取ると、サービス専用サーバ２０にアクセスし、所定のフォーマット形式の録画要求情報をサービス専用サーバ２０に送信する。
【００９４】
図１０（ｂ）に示す処理パターンにおいて、アプリケーションプログラム９１の動作は、図９に示す処理パターンにおけるアプリケーションプログラム９１の動作と同様である。スケジューラ９２は、行動予定情報と放送予定情報とが同じ時間帯に重複していると判断すると、重複する放送番組のチャンネル情報および放送時間を抽出し録画要求情報を生成する。そして、スケジューラ９２は、生成した録画要求情報をサービス専用サーバ２０に送信する。なお、録画要求情報の生成および送信以外のスケジューラ９２の動作は、図９に示す処理パターンにおけるスケジューラ９２の動作と同様である。
【００９５】
また、図９および図１０に示す処理パターンでは、行動予定情報と放送予定情報とが同じ時間帯に重複しているか否かをスケジューラ９２が判断する場合を説明したが、時間帯が重複しているか否か判断する機能を備えたアプリケーションプログラムを用いてもよい。図１１は、放送予定情報と行動予定情報とが同じ時間帯に重複しているか否かを判断し、録画要求情報を自動送信するさらに他の処理パターンの例を示す説明図である。
【００９６】
図１１（ａ）に示す処理パターンにおいて、スケジューラ１１１は、図９および図１０に示す処理パターンにおけるスケジューラ９２と同様に、行動予定情報と放送予定情報とを統合して管理する。また、ユーザへのアラーム通知を行う。
【００９７】
アプリケーションプログラム１１２は、行動予定情報および放送予定情報をスケジューラ１１１からインポートし、行動予定情報と放送予定情報とが同じ時間帯に重複しているか否かを判断する。同じ時間帯に重複していると判断した場合、アプリケーションプログラム１１２は、ユーザへのアラーム通知を行う。例えば、アプリケーションプログラム１１２は、アラーム音を音声出力部１４に出力させる。
【００９８】
また、同じ時間帯に重複していると判断した場合、アプリケーションプログラム１１２は、メーラ１１３に録画要求情報の送信を指示する。この場合、アプリケーションプログラム１１２は、予め定めた所定のフォーマットでチャンネル情報および放送時間を記載したテキストを生成する。そして、アプリケーションプログラム１１２は、生成した所定フォーマットのテキストをメーラ１１３に渡し、メーラ１１３に録画要求情報の送信を促す。
【００９９】
メーラ１１３は、録画要求情報として、アプリケーションプログラム１１２から受け取ったテキストを含む電子メールを生成する。そして、メーラ１１３は、生成した電子メールをサービス専用サーバ２０に送信する。
【０１００】
図１１（ｂ）に示す処理パターンにおいて、アプリケーションプログラム１１２は、スケジューラ１１１からインポートした行動予定情報と放送予定情報とが同じ時間帯に重複していると判断すると、スケジューラ１１１に録画要求の処理を指示する。なお、録画要求処理の指示以外のアプリケーションプログラム１１２の動作は、図１１（ａ）におけるアプリケーションプログラム１１２の動作と同様である。
【０１０１】
スケジューラ１１１は、メーラ１１３に録画要求情報の送信を指示する。すると、メーラ１１３は、録画要求情報として、チャンネル情報および放送時間を含む電子メールを生成しサービス専用サーバ２０に送信する。なお、録画要求情報の送信指示以外のスケジューラ１１１の動作は、図１１（ａ）におけるスケジューラ１１１の動作と同様である。
【０１０２】
図１１（ｃ）に示す処理パターンにおいて、スケジューラ１１１の動作は、図１１（ａ）に示す処理パターンにおけるスケジューラ１１１の動作と同様である。アプリケーションプログラム１１２は、行動予定情報と放送予定情報とが同じ時間帯に重複していると判断すると、所定のフォーマット形式でチャンネル情報および放送時間を含む録画要求情報を生成する。そして、アプリケーションプログラム１１２は、生成した録画要求情報をサービス専用サーバ２０に送信する。なお、録画要求情報の生成および送信以外のアプリケーションプログラム１１２の動作は、図１１（ａ）におけるアプリケーションプログラム１１２の動作と同様である。
【０１０３】
図１１（ｄ）に示す処理パターンにおいて、アプリケーションプログラム１１２の動作は、図１１（ｂ）におけるアプリケーションプログラム１１２の動作と同様である。スケジューラ１１１は、アプリケーションプログラム１１２から録画要求情報送信の指示を受け取ると、チャンネル情報および放送時間を含む録画要求情報を生成する。そして、スケジューラ１１１は、生成した録画要求情報をサービス専用サーバ２０に送信する。なお、録画要求情報の送信以外のスケジューラ１１１の動作は、図１１（ｂ）におけるスケジューラ１１１の動作と同様である。
【０１０４】
以上のように、本実施の形態によれば、モバイル端末１０は、登録された行動予定情報と放送予定情報とを統合して管理するスケジューラ９２またはアプリケーションプログラム１１２を用いて、行動予定情報と放送予定情報とが同じ時間帯に重複しているか否かを判断する。そして、同じ時間帯に重複していると判断すると、モバイル端末１０は、自動的に録画要求情報を生成してサービス専用サーバ２０に送信する。従って、見たい放送番組がユーザの行動予定と時間帯が重なっている場合に、ユーザが録画要求の操作を行わなくても、自動的に自宅の録画装置３０に録画させることができる。また、電子番組表を利用することによって、長期間にわたる複数の放送番組の録画予約を容易に行うことができる。
【０１０５】
なお、第１の実施の形態および第２の実施の形態において、録画装置３０が録画を開始した後に、インデックスの付与を要求できるようにしてもよい。インデックスとは、再生開始箇所の候補であることを示す情報をいう。例えば、放送番組の視聴を途中で中断しなければならず自宅で続きから見たい場合や、気に入ったシーンがあった場合、モバイル端末１０からインデックスの付与を要求できるようにしてもよい。図１２は、モバイル端末１０からのインデックス付与要求を仲介して、録画中の放送番組にインデックスを付与する処理の一例を示す流れ図である。
【０１０６】
モバイル端末１０のＣＰＵ１１は、ユーザによって予め定められた所定のキーが押されると、入力部１８からインデックス付与の指示を入力する。（ステップＳ２０１）。すると、ＣＰＵ１１は、現時刻に対応する録画データにインデックスの付与を要求するインデックス付与要求情報を生成する（ステップＳ２０２）。本実施の形態では、予め定められた所定のキーを押すなどユーザがワンアクションで操作を行えば、モバイル端末１０が自動的にインデックス付与要求情報を生成する。
【０１０７】
また、ステップＳ２０２において、ＣＰＵ１１は、モバイル端末１０が搭載するタイマから現在の時刻情報を入力する。そして、ＣＰＵ１１は、現在の時刻情報をタイムスタンプとして含むインデックス付与要求情報を生成する。モバイル端末１０は、生成したインデックス付与要求情報を、携帯電話網１１０およびインターネット１００を介してサービス専用サーバ２０に送信する（ステップＳ２０３）。
【０１０８】
サービス専用サーバ２０は、受信したインデックス付与要求情報を解析し、録画装置３０にインデックスの付与を指示するインデックス付与指示情報を生成する（ステップＳ２０４）。ステップＳ２０４において、サービス専用サーバ２０は、インデックス付与要求情報から時刻情報を抽出し、抽出した時刻情報を含むインデックス付与指示情報を生成する。そして、サービス専用サーバ２０は、生成したインデックス付与指示情報を、インターネット１００を介して録画装置３０に送信する（ステップＳ２０５）。
【０１０９】
録画装置３０は、受信したインデックス付与指示情報にもとづいて、録画データにインデックスを付与する（ステップＳ２０６）。この場合、録画装置３０は、インデックス付与指示情報に含まれる時刻情報の時刻に対応する録画データにインデックスを付与する。
【０１１０】
モバイル端末１０がインデックスの付与を要求してから録画装置３０が録画データにインデックスを付与するまでには時間がかかる。インデックス付与指示情報に含まれるタイムスタンプに従ってインデックスを付与することによって、インデックスの付与が要求された時間に遡ってインデックスを付与できる。従って、インデックスの付与を要求するタイミングに応じた録画データにインデックスを付与することができる。
【０１１１】
録画後にユーザが自宅で放送番組を再生する場合、録画装置３０は、ユーザの操作に従って、インデックスが付与された録画データの箇所から放送番組の再生を開始する。インデックスが複数付与されている場合には、どのインデックスに対応する箇所から再生するのかを選択する操作を受け付け、その箇所から再生すればよい。ユーザは、インデックスを付与したシーンや箇所から放送番組を見ることができる。
【０１１２】
また、第１の実施の形態および第２の実施の形態において、サービス専用サーバ２０は、録画装置３０に録画指示した旨をモバイル端末１０に通知するようにしてもよい。この場合、モバイル端末１０は、録画指示した旨の通知を受信すると、放送番組の表示画面に文字や記号、アイコンなどの表示マークを表示するようにしてもよい。そのようにすれば、ユーザは、放送番組の視聴中に自宅の録画状況を把握することができる。なお、サービス専用サーバ２０は、メールを送信することによって、録画指示した旨をモバイル端末１０に通知してもよい。また、モバイル端末１０がサービス専用サーバ２０のＷｅｂサイトにアクセスした場合に、サービス専用サーバ２０は、録画指示した旨をモバイル端末１０に通知してもよい。
【０１１３】
また、第１の実施の形態および第２の実施の形態において、ユーザが複数の録画装置３０を用いて録画指示できるようにしてもよい。例えば、ユーザの行動範囲が広く自宅だけでなく出張先などにも録画装置３０を設置している場合、サービス専用サーバ２０は、モバイル端末１０の位置に従って録画装置３０を選択して録画指示情報を送信するようにしてもよい。この場合、サービス専用サーバ２０は、ユーザの各録画装置３０の位置情報を予め記憶するデータベースを備える。サービス専用サーバ２０は、モバイル端末１０から受信した録画要求情報に含まれる端末位置情報にもとづいて、モバイル端末１０の現在位置を特定する。そして、サービス専用サーバ２０は、モバイル端末１０の現在位置に最も近い場所にある録画装置３０を選択し録画指示情報を送信する。
【０１１４】
また、例えば、ビデオテープレコーダやパーソナルコンピュータなど複数種類の録画装置３０を自宅に設置して、用途ごとに録画装置３０を選択して放送番組を録画できるようにしてもよい。例えば、曜日ごとに録画装置３０を選択して放送番組を録画できるようにしてもよいし、チャンネルごとに録画装置３０を選択して放送番組を録画できるようにしてもよい。
【０１１５】
また、ユーザの嗜好ごとに録画装置３０を選択して放送番組を録画できるようにしてもよい。例えば、放送番組の種類ごとに録画装置３０を選択して放送番組を録画できるようにしてもよい。この場合、例えば、スケジューラは、ユーザの操作に従って、料理番組やニュース番組など放送番組の種類ごとに定義した文字や記号を各放送予定情報に付与する。そして、モバイル端末１０は、放送予定情報に付与されている文字や記号を含む録画要求情報を生成してサービス専用サーバ２０に送信する。サービス専用サーバ２０は、放送番組ごとの文字や図形の定義情報を予め記憶するデータベースを備える。サービス専用サーバ２０は、受信した録画要求情報に含まれる文字や記号にもとづいて録画装置３０を選択し、選択した録画装置３０に録画指示情報を送信する。
【産業上の利用可能性】
【０１１６】
本発明は、外出先から携帯端末を用いて自宅の録画装置に放送番組を録画させる用途に利用できる。特に、予め定められた所定のキーを押すなどユーザがワンアクションで操作を行えば録画指示できるので、外出先から簡易な操作を行うことによって放送番組の録画を行うことができる。また、スケジューラなどを用いることによって、ユーザの行動予定と見たい放送番組の時間帯が重なっている場合に、ユーザが録画要求の操作を行わなくても、自動的に自宅の録画装置に録画させることができる。
【図面の簡単な説明】
【０１１７】
【図１】本発明による放送記録システムの構成の一例を示すブロック図である。
【図２】モバイル端末１０の構成の一例を示すブロック図である。
【図３】サービス専用サーバ２０の構成の一例を示すブロック図である。
【図４】録画装置３０の構成の一例を示すブロック図である。
【図５】モバイル端末１０およびサービス専用サーバ２０の機能構成の一例を示す機能ブロック図である。
【図６】モバイル端末１０からの録画要求を仲介して、録画装置３０に放送番組を録画させる処理の一例を示す流れ図である。
【図７】スケジューラの表示画面の例を示す説明図である。
【図８】モバイル端末１０が搭載するプログラムの階層構造の概念を示す説明図である。
【図９】放送予定情報と行動予定情報とが同じ時間帯に重複しているか否かを判断し、録画要求情報を自動送信する処理パターンの一例を示す説明図である。
【図１０】放送予定情報と行動予定情報とが同じ時間帯に重複しているか否かを判断し、録画要求情報を自動送信する他の処理パターンの例を示す説明図である。
【図１１】放送予定情報と行動予定情報とが同じ時間帯に重複しているか否かを判断し、録画要求情報を自動送信するさらに他の処理パターンの例を示す説明図である。
【図１２】モバイル端末１０からのインデックス付与要求を仲介して、録画中の放送番組にインデックスを付与する処理の一例を示す流れ図である。
【符号の説明】
【０１１８】
１０  モバイル端末
１３  位置算出部
１８  入力部
２０  サービス専用サーバ
３０  録画装置
１００  インターネット
１０１  録画要求生成部
１０２  録画要求送信部
１１０  携帯電話網
２０１  録画要求受信部
２０２  録画要求解析部
２０３  録画指示送信部
【図１】
2005286762.tif 000003
【図２】
2005286762.tif 000004
【図３】
2005286762.tif 000005
【図４】
2005286762.tif 000006
【図５】
2005286762.tif 000007
【図６】
2005286762.tif 000008
【図７】
2005286762.tif 000009
【図８】
2005286762.tif 000010
【図９】
2005286762.tif 000011
【図１０】
2005286762.tif 000012
【図１１】
2005286762.tif 000013
【図１２】
2005286762.tif 000014